【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
吸収性物品の前後方向に長い縦長形状の吸収性コアを含む吸収体を、肌対向面を形成する肌側シートと非肌対向面を形成する非肌側シートとの間に備えた吸収性物品であって、
前記吸収性コアは、排泄部対向部に、幅方向両側に位置する側方領域と、該側方領域よりも幅方向中央側に位置する、該側方領域よりも厚みが大きい中央領域とを有しており、
前記側方領域と前記中央領域とは一体成形されており、
前記中央領域は前記非肌側シート側に向かって突出しており、
前記吸収体は、平面視において前記側方領域が存在する領域に、前記非肌側シートと接合されていない非接合領域を有しており、
前記中央領域の非肌対向面側に、前記吸収性コアの長手方向に沿う、肌対向面側に底部を有する縦溝が形成されている、吸収性物品。
【請求項２】
前記側方領域における前記中央領域に隣接する部分に、前記中央領域よりも密度の高い高密度部を有している請求項１に記載の吸収性物品。
【請求項３】
前記縦溝は開口部よりも前記底部の幅方向長さが狭くなっている、請求項１又は２に記載の吸収性物品。
【請求項４】
前記側方領域に、前記吸収性コアの長手方向に向かって延びる側方縦溝が形成されている、請求項１乃至３の何れか１項に記載の吸収性物品。
【請求項５】
前記側方領域に、前記吸収性コアの幅方向に向かって延びる側方横溝が形成されている、請求項４に記載の吸収性物品。
【手続補正２】
【補正対象書類名】明細書
【補正対象項目名】０００９
【補正方法】変更
【補正の内容】
【０００９】
以下本発明を、その好ましい実施形態に基づき図面を参照しながら説明する。
本発明の吸収性物品の第１実施形態としての生理用ナプキン１（以下、単にナプキン１ともいう）は、就寝時の使用に適した夜用のナプキンであり、好適には、長さ３０ｃｍ以上のものである。
ナプキン１は、図１に示すように、前後方向に長い形状の吸収性本体６と、一対のウイング部７，７と、一対の後方フラップ部８，８とを有している。生理用ナプキン等の吸収性物品に関し、「前後方向」とは、着用時に着用者の前後方向と一致する方向である。また、本明細書において、前後方向が長手方向であり、これと直交する方向を幅方向という。
ナプキン１は、その長手方向に、前方部Ａ、排泄部対向部Ｂ及び後方部Ｃを有しており、排泄部対向部Ｂにおける吸収性本体６の左右両側に一対のウイング部７，７、後方部Ｃにおける吸収性本体６の左右両側に一対の後方フラップ部８，８を有している。ナプキン１（吸収性物品）又は吸収性本体６に関し、排泄部対向部Ｂは、幅方向の中央部が着用者の膣口である液排泄部に対向配置される部分であり、前方部Ａは、排泄部対向部Ｂより着用者の前側（腹側）に配される部分であり、後方部Ｃは、排泄部対向部Ｂより着用者の背中側に配される部分である。
【手続補正３】
【補正対象書類名】明細書
【補正対象項目名】００１１
【補正方法】変更
【補正の内容】
【００１１】
一対のウイング部７，７及び一対の後方フラップ部８，８は、吸収体４の両側縁から延出したサイドシート２ｂ及び非肌側シート３からなる。一対のウイング部７それぞれの非肌側シート３からなる面には、ショーツのクロッチ部の非肌対向面に固定するための、図示しないウイング部粘着部が設けられ、吸収性本体６の非肌対向面には、該本体６をショーツの内面に固定するための、図示しない本体粘着部が設けられている。ナプキン１においては、本体粘着部は少なくとも、後述する吸収性コア４０の側方領域と平面視で重なる領域に設けられている。後方フラップ部８は、着用時に、ショーツの内面上に配される。後方フラップ部８の非肌側シート３からなる面にも、ショーツの内面に固定するための粘着部が設けられていることが好ましい。肌側シート２と非肌側シート３とは、吸収体４の周縁部より外方に延出した部分が接着剤で互いに接合されていると共にナプキン１の周縁部において熱シールにより接合されている。肌側シート２と吸収体４との間、及び吸収体４と非肌側シート３との間が、ドット、スパイラル、ストライプ等のパターン塗工された接着剤により互いに接合されていることが好ましい。ただし、吸収体４の非肌当接面側の面は、後述する吸収性コア４０の側方領域４５が存在する領域に、非肌側シートに接合されていない非接合領域を有している。
【手続補正４】
【補正対象書類名】明細書
【補正対象項目名】００１３
【補正方法】変更
【補正の内容】
【００１３】
ナプキン１における吸収性コア４０は、図１に示すように、ナプキン１の前後方向と同方向に長い、縦長形状を有している。また、吸収性コア４０は、図２（ａ）及び図２（ｂ）に示すように、幅方向Ｙに、両側に位置する側方領域４５，４５と、中央側に位置し、側方領域４５，４５よりも厚みが大きい中央領域４１とを有している。ナプキン１では、排泄部対向部Ｂにおいて、中央領域４１は、該側方領域４５，４５それぞれの下面Ｓ２，Ｓ２より非肌側シート３側、すなわち、図２における下方に突出した中央突出部５を有している領域である。
【手続補正５】
【補正対象書類名】明細書
【補正対象項目名】００２６
【補正方法】変更
【補正の内容】
【００２６】
そして、坪量差及び密度差を有する高坪量部４２と低坪量部４３とが、上記の態様で形成されていることによって、吸収性コア４０の中央領域４１における非肌対向面に、肌対向面側に向かって凹んだ縦溝５０が、それぞれ吸収性コア４０の長手方向Ｘに延びて形成されている。
本明細書において、肌対向面は、吸収性物品又はその構成部材における着用時に着用者の肌側に向けられる面であり、非肌対向面は、吸収性物品又はその構成部材における着用時に着用者の肌側とは反対側に向けられる面である。
【手続補正６】
【補正対象書類名】明細書
【補正対象項目名】００３５
【補正方法】変更
【補正の内容】
【００３５】
ナプキン１では、中央突出部５が存在する領域における幅方向外側に位置する吸収体４の側方領域４５’の幅方向全域に亘って非接合領域が存在しており、図２（ａ）では側方領域４５’が非接合領域と重なっている。しかし、これに限定されるものではなく、吸収体４の、平面視において側方領域４５が存在する領域４５’の一部が、非肌側シート３と接合されていても良い。例えば、吸収性コア４０の幅方向端縁の位置のみが非肌側シートと接合されている形態等が挙げられる。また、排泄部対向部Ｂに位置する側方領域４５’のみで、全域が非接合領域となされていて、前方部Ａや後方部Ｃでは、吸収体４の側方領域４５’と非肌側シート３とが接合された部分を備える形態であっても良い。また、中央突出部５が長円形状等、その幅が均一ではない形状の場合には、中央突出部５の最大幅の部分より縦方向前方又は後方に位置する、幅方向内側における側方領域４５’では、吸収体４の側方領域４５’と非肌側シート３とが接合されていて、最大幅部分から長手方向Ｘの前後に延ばした仮想線より外側の領域において非接合領域が形成されている形態であってよい。しかしながら、少なくとも排泄部対向部Ｂにおける、側方領域４５が存在する領域４５’の全域が、非肌側シート３に接合されていない非接合領域が形成されていることが好ましい。
【手続補正７】
【補正対象書類名】明細書
【補正対象項目名】００３６
【補正方法】変更
【補正の内容】
【００３６】
本発明の吸収性物品では、吸収性コア４０は、中央領域４１と側方領域４５とが一体成形されているとともに、厚みが相対的に厚い中央領域４１の中央突出部５が非肌側シート３側に向かって突出している。そして、中央突出部５より幅方向外方に位置する吸収体４の側方領域４５’に、該吸収体４と非肌側シート３間とが接合されていない非接合領域を備えている。このため、以下に説明するようなユニークな効果が得られる。
まず、本発明の吸収性物品を着用者が装着すると、吸収性物品の排泄部対向部の周囲部は各々体の形状に沿うように変形しようとする。このとき、着用者の肌から遠ざかる方向に向かって突出した中央突出部５によって、その周囲部は、その非肌対向面側に、圧力を緩衝する領域又は空間が存在している。このために、吸収体４の側方領域４５’，４５’は股間部において、中央領域４１’との間に緩衝領域を持ちながら折れ曲がるので、クッション性に優れた変形形状を形成することが可能となる（図５参照）。
図２（ａ）に示すナプキン１において、圧力を緩衝する領域は、吸収体４の側方領域４５’と非肌側シート３との間に形成されている空間である。特に、ナプキン１の着用時に、肌対向面側から非肌対向面側に向かって力が加わった場合、側方領域４５’は非肌対向面方向へと撓み、移動しようとするが、側方領域４５’における中央突出部５と隣接する領域は、側方領域４５’と非肌側シート３との間の空間を維持しやすい。なお、本実施形態のナプキン１では、更に、吸収性コア４０の中央領域４１と側方領域４５とに縦溝及び横溝が形成されており、さらに製品幅方向から掛かる圧力を緩和することができる。
【手続補正８】
【補正対象書類名】明細書
【補正対象項目名】００３７
【補正方法】変更
【補正の内容】
【００３７】
また、緩衝領域は、中央突出部５と側方領域４５’との間の空間を維持するように形成され得るので、吸収容量が大きく、かつ、多くの排泄液を保持する中央領域４１に近接する領域で通気チャネルが形成され、ムレ感を低減することができる。
さらに、非肌側シート３側に突出した中央突出部５がクッションとしての役割を果たし、排泄液が吸収性物品に吸収された後、例えば肌対向面側から非肌対向方向に向かう強い圧力が、着用者の液排泄部から吸収性物品に加わったとしても、柔らかく圧力を受け止め、また、上述した緩衝領域によって中央突出部５の拡がる空間を確保できるので、着用者に柔らかな着用感を与えることができるとともに、排泄液が中央突出部５から漏れ出ることを抑止することが可能である。
これらの効果は、吸収性物品がナプキンである場合、デリケートな膣口やその付近への優しい感触を与えることが可能となるので、特に好ましいと言える。また、非肌側シート３に下着等への固定手段を備える吸収性物品である場合、側方領域４５と非肌側シート３との非接合領域の存在によって、吸収性コア４０が下着等のヨレや皺等による影響を受けにくくなるので、上述の効果によるメリットが大きい。当該効果のメリットは、前記固定手段を非肌側シートの側方領域対向部分における、非肌当接面に備えている場合に、特に有益である。
【手続補正９】
【補正対象書類名】明細書
【補正対象項目名】００４９
【補正方法】変更
【補正の内容】
【００４９】
本実施形態のナプキン１によれば、中央突出部５を有する中央領域４１に、深さが浅く、底部４４ｄが側方領域４５の下面Ｓ２よりも非肌側面に近い位置に達すると共に、中央領域４１から側方領域４５にも延在する横溝４４が形成され、しかもその横溝４４が、吸収性コアの形成材料の坪量を減らして形成されているため、通常であれば湾曲の妨げになり易い中央突出部５を有するにも拘わらずに、変形性に富み、ナプキン１の肌対向面に皺も生じにくい。そのため、図５に示すように、吸収体４及びそれを含むナプキン１の非肌対向面を、着用者の液排泄部や臀裂に沿わせながら、全体形状を、着用者の身体形状に沿うように変形させることができ、身体の凹凸に対するフィット性に優れると共に、着用者の動きに対する追従変形性に優れ、皺や吸収性コアの折れに起因する違和感も与えにくい。
このような効果は、横溝４４の底部４４ｄが、吸収性コア４０の幅方向Ｙにおける中央領域４１の全域に亘って、側方領域４５の下面Ｓ２よりも下方に位置していると、一層高まる。
【手続補正１０】
【補正対象書類名】明細書
【補正対象項目名】００５６
【補正方法】変更
【補正の内容】
【００５６】
側方縦溝５２の底部５２ｂよりも、中央領域４１の縦溝５０の底部５０ｂが非肌対向面側に位置することが好ましい。このような構成によって、先ず、より底面が非肌対向面側に位置する縦溝５０を基軸としてナプキン１の側方部が使用者の肌とは反対方向に屈曲し、次により底面が、肌対向面側に位置する側方縦溝５２を基軸としてナプキン１の側方部がより使用者の肌とは反対方向に屈曲するようになり、着用中のナプキン１の形状をより安定させることが可能となる。
【手続補正１１】
【補正対象書類名】明細書
【補正対象項目名】００７０
【補正方法】変更
【補正の内容】
【００７０】
１  生理用ナプキン
２  肌側シート
２ａ  表面シート
２ｂ  サイドシート
３  非肌側シート
Ｓ２  側方領域の下面
４  吸収体
４１’  吸収体の中央領域
４５’  吸収体の側方領域
４０  吸収性コア
４１  中央領域
４２  高坪量部
４３  低坪量部
４５  側方領域
４６  高坪量部
４７  低坪量部
１２  突起部隣接高密度部
５  中央突出部
６  吸収性本体
７  ウイング部
８  後方フラップ部
４４ａ  中央領域の横溝
４４ｂ  側方領域の横溝
５０  中央領域の縦溝
５２  側方領域の縦溝（側方縦溝）